(57)【要約】【課題】本発明は一対の脚部３を有する差込体１と、この脚部３を挿入する一対の受け穴４を有する受け体２とから成る結束具の課題を解決したものである。【解決手段】本発明は、一対の脚部３を有する差込体１と、この脚部３を挿入する一対の受け穴４を設けた受け体２とから構成される結束具を基本とし、受け体２に、曲面部と矩形平面状の突出部分を有する突出台１０を設け、この曲面部は結束時に包装袋の袋口部を収納する隙間を共に形成する、相対向した脚部基部に設けた曲面部に対応した形状とし、受け穴４は段差部１３を介して大小の穴１２，１４（小穴１２を脚部３と同径）を連接するとともに、段差部１３で脚部３を係合させて差込体１と受け体２とを結束させ、包装体の袋口部２１を緊密に結束するものである。【選択図】図１
2014213881.tif 000002
【特許請求の範囲】
【請求項１】
一対の脚部を有する差込体と、この脚部を差し込む一対の受け穴およびこの受け穴の間の位置で結束時に差込体に面する側に設けた突出台を形成した受け体とから成り、突出台は
四囲に曲面部を有し、結束時に脚部間の間隔部分に圧接する平面状の突出部分を設けるとともに、この曲面部は結束時に包装袋の袋口部を収納する隙間を共に形成する、相対向した脚部基部に設けた曲面部に対応した形状とし、かつ受け穴は脚部を係合させる段差部を介して脚部と同径の小穴とこの小穴よりも径を大きくした大穴とから構成するとともに、その脚部の長さは結束時に先端部を受け穴の段差部より先の大穴に臨ませる長さとすることで、その脚部先端部を潰して段差部に係合させることにより差込体と受け体とを結束させる結束具
【請求項２】
結束時に脚部の段差部から突出する先端部を脚部の他の部分よりも小容積とした請求項１の結束具
【請求項３】
段差部は小穴側に傾斜面部を形成するとともに大穴側に平面部を形成し、脚部を押し潰したときに形成される拡大部の一部を傾斜面部に係合させることを特徴とした請求項１もしくは請求項２の結束具
【発明の詳細な説明】
【技術分野】
【０００１】
本発明は、食品等を収容するポリエチレン、ポリプロピレン、ナイロン、ポリ塩化ビニール等の包装袋の袋口部を閉じるために使用するプラスチック製の結束具に関するものである。
【背景技術】
【０００２】
従来から包装袋を結束する結束具として、コの字形もしくはＵ字形状をしたプラスチック製のクリップ（結束具）１が知られている（特許文献１参照）。しかしこの結束具は、その両端の軸部２を折り曲げることで袋４に巻きつけて結束するものであるため、巻き付けという構成から必然的に袋４の密封状態を長期間保持することは困難なものであった。
【０００３】
この結束力の不足を補うために、別タイプの結束具として脚部２Ａ、２Ｂを設けた概略Ｕ字状のステープル２と、このＵ字状の脚部２Ａ、２Ｂを固定するための穴３Ａ、３Ｂを設けた受け部材３とを組み合わせた２部材から成る結束具が提案されている。（特許文献２参照）この結束具においては、結束力強化として脚部２Ａ、２Ｂの抜けを防止するために、脚部２Ａ、２Ｂの太さを穴３Ａ、３Ｂの径よりも大きくしたり、両者を熔着させたり、また圧入後に折り曲げたり、押し潰したりする構成を採用している。
【０００４】
しかしこの結束具では、脚部２Ａ、２Ｂの太さを、圧入している穴３Ａ、３Ｂの径よりも大きくしていることから、穴３Ａ、３Ｂに不要な圧力をかけることになり、受け部材３亀裂の原因となる危険性を有しているものであった。また脚部２Ａ、２Ｂ抜け防止の手段として押し潰しを行う案が提案されているが、押し潰しの箇所が露出することになるため、この箇所の保全が必要になることと、外観上の美観からも好ましいものではなかった。また結束時に包装体の袋口部の巻き込み防止などについても検討が不十分ではないかという課題も有するものであった。
【先行技術文献】
【特許文献】
【０００５】
【特許文献１】特開２００２−２７６６２１号公報
【特許文献２】特開２００４−２６２８９号公報
【発明の概要】
【発明が解決しようとする課題】
【０００６】
以上述べたようにこれまでの結束具には、包装袋の密封を長期間保持できるかという疑問と、結束具の破損発生および結束時における包装袋の巻き込みを生じる危険性など多くの課題を有するものであった。
【課題を解決するための手段】
【０００７】
本発明はこれらの課題を解決するとともに、他の利点をも有する発明を提案するものである。
【０００８】
すなわち本発明は、一対の脚部を有する差込体と、この脚部を差し込む一対の受け穴およびこの受け穴の間の位置で結束時に差込体に面する側に設けた突出台を形成した受け体とから成り、突出台は四囲に曲面部を有し、結束時に脚部間の間隔部分に圧接する平面状の突出部分を設けるとともに、この曲面部は結束時に包装袋の袋口部を収納する隙間を共に形成する、相対向した脚部基部に設けた曲面部に対応した形状とし、かつ受け穴は脚部を係合させる段差部を介して脚部と同径の小穴とこの小穴よりも径を大きくした大穴とから構成するとともに、その脚部の長さは結束時に先端部を受け穴の段差部より先の大穴に臨ませる長さとすることで、その脚部先端部を潰して段差部に係合させることにより差込体と受け体とを結束させる結束具を提案する。
【０００９】
本発明によれば、結束時には包装袋の袋口部を受け体の突出台と差込体の脚部との間（間隔部分）に差し込んで強固に結束することが出来る。またその結束作業の際には、脚部基部の曲面部と受け体突出台の曲面部との間に隙間を設けることで、その隙間に包装袋の袋口部を閉じ込め、この袋口部の巻き込みを防止できる。さらに受け体に突出台という突出部分を設けたことで、突出台上側の曲面部の上方および下側の曲面部の下方と差込体の間隔部分との間、脚部基部（曲面部を形成）の上方および下方における差込体と受け体との間、脚部基部の外側に位置する差込体と受け体との間などに、隙間を形成させ、その隙間があることで、包装袋の袋口部が巻き込まれることがなく、巻きこまれによる引き裂かれなどの発生を防止できるものである。
【００１０】
さらに受け穴は段差部を介して脚部と同径の小穴とこれより大径の大穴に分け、段差部から突出させた脚部の先端部を押し潰すことで脚部すなわち差込体と受け体との結束を確実なものにしている。また小穴は脚部と同径であり、大穴も脚部の押し潰しによる容積の増加に耐えられるものであるため、脚部挿入と押し潰しによる穴内部からの圧力に抗しえるものであってこの圧力により受け体に亀裂などが生じることはない。
【００１１】
また本発明は上記発明において、結束時に脚部の段差部から突出する先端部を脚部の他の部分よりも小容積とした構成を提案する。
【００１２】
この本発明によれば、結束時に押し潰す脚部の先端部分がそれ以下の他の部分よりも小さく作成されるため、押し潰し作業において作成される拡大部が当初下膨れの状態になり、段差部への密着が良好に行われ、拡大部による脚部（差込体）の係合がより確実に行われる効果がある。そのため、包装袋の袋口部の結束が強固になる利点を有する。
【００１３】
さらに本発明は上記各発明において、段差部は小穴側に傾斜面部を形成するとともに大穴側に平面部を形成し、脚部を押し潰したときに形成される拡大部の一部を傾斜面部に係合させることを特徴とした構成を提案する。
【００１４】
この本発明によれば、結束時に脚部の先端部分が押し潰されて行く過程で、段差部上で上方から強い圧力を受け、その一部が段差部に設けた傾斜面部に食い込み、拡大部の段差部への密着がより確実に行われる。そのため拡大部の下面の一部が段差部に完全に密着されないことが仮にあっても、上記傾斜面部への食い込み箇所があるため、包装袋の袋口部の結束が強固に行われるものである。
【発明の効果】
【００１５】
本発明は以上のように構成されるため、包装袋の袋口部は受け体の突出台と差込体の脚部の間で緊密に結束できる。そのとき突出台の曲面部と脚部基部の曲面部との間に袋口部を収納できる隙間が形成されるため、この袋口部が受け穴内に巻き込まれることを防止できる。また結束時において差込体と受け体との相向かう面（突出台に設けた上側の曲面部の上方および下側の曲面部の下方と差込体の間隔部分との間、脚部基部（曲面部を形成）の上方および下方における差込体と受け体との間、脚部基部の外側に位置する差込体と受け体との間）には突出台によって隙間が形成され、差込体と受け体とが隔てられているため、包装袋の袋口部を噛みこんで破損させるということはない。
【００１６】
さらに受け穴は、これに挿入する脚部と同径の小穴とこの小穴より大径の大穴から形成されているため、脚部の挿入により受け体に亀裂を生じさせるようなことはなく、脚部の係合も受け穴内の段差部で行うため、係合手段である脚部の潰しによる拡大部が確実な結束手段となる。またこの拡大部は結束具の外には露出せず、その結束を外力により破損されず、外観上も見苦しくなく、使用上の支障となる問題を生ずることはない。
【００１７】
また本発明では、結束時に押し潰す脚部の先端部分を他の部分よりも小容積とすることで、拡大部形成の過程で下から膨れていくため、段差部との密着が良好に行われ結束をより確実に行うことができる。また段差部に傾斜面部を形成することで、上記潰し工程における拡大部形成の過程でその一部がこの傾斜面部に食い込むことにより、段差部との密着を確実にし、包装袋の結束を確実なものにすることができる。
【図面の簡単な説明】
【００１８】
【図１】本発明結束具の実施形態を示すもので、（Ａ）は差込体を受け体に結束した状態を示す平面図、（Ｂ）は右側面図、
【図２】本発明結束具の実施形態で使用する結束具の差込体を示すもので、（Ａ）は平面図、（Ｂ）は正面図、（Ｃ）は右側面図
【図３】本発明結束具の実施形態で使用する受け体を示すもので、（Ａ）は平面図、（Ｂ）は正面図、（Ｃ）は右側面図
【図４】本発明結束具の実施形態を使用して包装体の袋口部を結束するときの状態を示す断面図で、（Ａ）は差込体の脚部を受け体の受け穴に差し込んだときの状態を示し、（Ｂ）は脚部を押圧したときの初期状態を示し、（Ｃ）は脚部の押圧が終了し差込体と受け体の結束が終了したときの状態を示す
【図５】結束時における差込体と受け体との係合状態を示し、特に受け体の受け穴に設けた段差部の形状および差込体の脚部基部と受け体の突出台との関係を示す拡大断面図
【図６】本発明結束具の実施形態を使用して包装体の袋口部を結束した状態を示すもので、（Ａ）は正面図、（Ｂ）は平面図
【図７】本発明結束具の実施形態を使用して包装体の袋口部を結束するときの結束機械の基本構成を示す説明図
【発明を実施するための形態】
【００１９】
以下図面により本発明結束具の実施形態について説明する。
図１（Ａ）は差込体１の脚部３を受け体２の受け穴４に差し込んで固定させることで、差込体１と受け体２とを結束した結束具を示す平面図であり、（Ｂ）は（Ａ）で示した結束具の右側面図、である。図１では、一対の脚部３を有するポリカボネート樹脂のようなプラスチックで作成した扁平状の差込体１と、この脚部３を差し込む一対の受け穴４を有し、結束時に頂部の矩形平面状突出部分１５を差込体１に圧接させる突出台１０を設けたポリカボネート樹脂のようなプラスチックで作成した同じく扁平状の受け体２とから成る、全体の形が扁平形状の結束具を示している。具体的な構成は図２以下で説明する。
【００２０】
図２は本発明結束具の実施形態で使用する結束具の差込体１を示すもので、（Ａ）は平面図、（Ｂ）は正面図、（Ｃ）は右側面図である。
【００２１】
差込体１は、正面側の平面状の間隔部分５を介して、先端部分を台形状（もしくは図示していないが小さい山形状）のような他の部分よりも容積を小さくした一対の円柱状の脚部３を設け、両脇には結束時に結束機械のガイド材２３（図７で示す）に係合してこの差込体１を移動（案内）する案内溝６を形成し、その後方は結束時に差込体１を後方から押圧する、押し出し兼保持用ピストン２２（図７で示す）の圧力を受けるための、平面部７を形成したものである。（この平面部７は後記するように、押し出し兼保持用ピストン２２を当てて結束時に脚部３を押圧して押し潰すときの押圧力を支える働きも行う）
【００２２】
なお（Ｂ）で示したように、案内溝６は円柱状の脚部３の外側の接点を通る接線上の面を延長したものであり、脚部３の基部はこの案内溝６の延長部分を除いた箇所をアール状にした曲面部８に形成する。また脚部３の長さは、図４、図５で示したように、その先端が受け体２の受け穴４の小穴１２から段差部１３を越え、大穴１４の前部まで達する長さ（段差部１３から僅か突出する長さ）に作成する。
【００２３】
図３は本発明結束具の実施形態で使用する受け体２を示すもので、（Ａ）は平面図、（Ｂ）は正面図、（Ｃ）は右側面図である。
【００２４】
受け体２は、結束時に差込体１の脚部３を挿入する一対の受け穴４を正面側から背面側にかけて貫通させ、その受け穴４の内側（結束時に差込体１に面する正面側中央で、差込体１の間隔部分５に対応する位置）に、結束時に差込体１の前記間隔部分５に圧接する矩形平面状の突出部分１５を突出させ、その突出部分１５の四囲を曲面部１６とした突出台１０を形成する。
【００２５】
この曲面部１６のうち、脚部３の基部側の曲面部１６は差込体１の脚部３基部に形成した曲面部８と対応した形状の曲面で作成され、その下縁は受け体２の正面側に開口した受け穴４の正面側開口部分（下記する小穴１２の開口部分）と一定の距離をおいて設けている。曲面部１６の上側のものは、その上縁を受け体２の上面に接しており、、また曲面部１６の下側のものは、その下縁を受け体２下面の正面側（結束時に差込体１に面する側）の縁に接している。（上記曲面部１６のうち脚部３側のものの下縁と受け穴４の開口との一定の距離は、図４、図５でも示したように結束時に差込体１の脚部３基部の曲面部８と受け体２の突出台１０の曲面部１６との間に一定の隙間１９を作成させるためである）
【００２６】
また受け穴４は、差込体２の円柱状の脚部３と同径の円穴である小穴１２と、この小穴１２に段差部１３を介して連設する小穴１２よりも大径の円穴である大穴１４とから成るもので、小穴１２は正面側に開口し、大穴１４は受け体２の後部（差込体２に面する側すなわち正面側とは反対の側）に開口している。
【００２７】
したがって受け穴４は、受け体２の正面側から後方に向けて、段差部１３を介して連続する円穴である小穴１２と大穴１４とにより、受け体２を水平方向に貫通しており、その形成位置は、差込体１を受け体２に結束するとき、差込体１の一対の脚部３に対応する位置に設ける。
【００２８】
段差部１３は、図５（段差部１３を理解しやすいように、厚さの中央部分で裁断して拡大した断面図で示す）で示したように、小穴１２の最奥部に形成した傾斜面部１７とこれに連続して大穴１４の最前部に連続する平面部１８とで形成する。なお前記大穴１４の両開口の間には平面状の平面部１１を設け、結束時に後方から固定具（図７で示す）により受け体２を保持する。
【００２９】
図４は本発明結束具の実施形態を使用して包装体の袋口部２１を結束するときの状態を示す断面図で、（Ａ）は差込体１の脚部３を受け体２の受け穴４に差し込んだときの状態を示し、（Ｂ）は脚部３を押圧したときの初期状態を示し、（Ｃ）は脚部３の押圧が終了し差込体１と受け体２の結束が終了したときの状態を示すものである。また図５は結束時における差込体１と受け体２との係合状態を示し、特に受け体２の受け穴４に設けた段差部１３の形状および差込体１の脚部３基部と受け体２の突出台１０との関係を示す拡大断面図である。
【００３０】
図４によれば、包装袋の袋口部２１を差込体１の脚部３の間の間隔部分５と受け体２の正面側に位置している突出台１０との間に差し込ませ、脚部３を受け穴４に差し込み、挿入させることで、差込体１、受け体２から成る結束具により結束するものである。
【００３１】
このとき（Ａ）で示すように、差込体１の脚部３の長さは、その先端を受け体２の受け穴４の小穴１２から段差部１３を越え、大穴１４の前部まで達する長さ（段差部１３から僅か突出する長さ）に作成しておく。この段差部１３から延長した部分が大穴１４内で潰されて拡大部９となり、脚部３を受け穴４に係合して差込体１と受け体２との結束を図るものである。
【００３２】
次に受け穴２の段差部１３から上方の大穴１４に突出した脚部３の先端部分を、（図７で示した押圧用ピストン２５のようなもので）押圧して押し潰し拡大部９にする。この拡大部９は脚部３の他の部分よりも小容積の先端部分を押し潰すことで形成されるものであるため、段差部１３上で（Ｂ）で示すように、押圧の当初は下側から膨れた形で押し潰され大穴１４いっぱいに広がるが、その一部を傾斜面部１７（図５で拡大図示）に噛み合うように係合して脚部３を係止する。
【００３３】
この大穴１４内の押し潰し作業を経て、脚部３先端部分が押し潰れて拡大部９となり、この拡大部９が受け穴４の段差部１３に係合することで、脚部３（差込体１）が、受け穴４（受け体２）に結束するものである。（脚部３の先端部分を上記のような小容積にする加工をしていないときには、この先端部分を押し潰すと全体が押し潰れて厚いものとなり、段差部１３に対して下面が均等に密着しないで、段差部１３との間（結束後の係合部分）に隙間が生じて、結束が不十分な状態になるおそれがある）
【００３４】
受け穴４内での脚部３の結束は、図５で示したように段差部１３に傾斜面部１７が形成されていることから、この傾斜面部１７に押し潰された脚部３の先端部分（拡大部９）の下部の一部が押し込められ噛み合うことで係合することになり、脚部３を受け穴４内の段差部１３に密着させて固く係合する結果となる。
【００３５】
またこの拡大部９は、これを形成する段差部１３の上部が大きな径の大穴１４であること、および大穴１４の上端側が開放端から十分な距離があるため、大容量の箇所に形成されることになり、受け穴４の内壁への圧迫感を減少させる働きがある。
【００３６】
そのため、この拡大部９を形成する脚部３の先端部分は大穴１４内の前端部分に収まる容積とするため、他の部分よりも小さく、たとえば実施形態のように先端を台形状（もしくは小さい山形状）に作成するが、この拡大部９は前記したように受け穴４の大穴１４内に十分納まる大きさであり、結束後も結束具（受け体２）から外には露出せず外からの力によってこの拡大部９が破損されたり、また見苦しい外観となることはない。
【００３７】
また差込体１と受け体２による結束が終了すると、包装体の袋口部２１は、拡大図である図５で示したように、脚部３間の間隔部分５とこれに圧接する突出台１０の矩形平面状突出部分１５の間、および脚部３基部の曲面部８と突出台１０の曲面部１６の間の隙間１９に巻き込み、挟み込んで封入し密封した状態となる。
【００３８】
このとき脚部間の間隔部分５と突出台１０の矩形平面状突出部分１５の間については、この間隔部分５と突出部分１５とが圧接した密封状態になっており、また脚部３基部の曲面部８と突出台１０の曲面部１６との間の隙間１９については、結束作業の中で袋口部２１をその隙間に巻き込み挟み込んで収め、かつきつく圧縮した状態にして袋口部２１の密封を完成させる。
【００３９】
これはこの両曲面部８、１６の間に隙間１９を作成する（この隙間１９は前記した突出台１０の左右曲面部１６の下縁と受け穴４の正面側開口との間の距離により形成される）ことにより、結束作業の途中で袋口部２１をこの隙間１９に巻き込むことによって、受け穴４にこの袋口部２１が巻き込まれてしまうことを防止する働きをしている。
【００４０】
図６は（Ａ）で包装体の袋口部２１を差込体１、受け体２から成る結束具により結束した状態を右側から見た側面図であり、また（Ｂ）はその（結束状態を上側から見た）平面図を示す。
【００４１】
包装体の袋口部２１は結束具により結束されているが、その特徴点は、次の２箇所で結束していることである。すなわち１箇所は、差込体１正面側の間隔部分５とこれに圧接する受け体２の突出台１０の矩形平面状の突出部分１５との間、および別の結束箇所は曲面部８とした差込体１の脚部３の基部と受け体２の突出台１０の脚部３側曲面部１６との間である。
【００４２】
包装体の袋口部２１はこの２箇所の結束箇所では緊密に密接した状態にあるが、他の部分では突出台１０によって差込体１と受け体２の間に隙間２０が作成されているため、上下左右ともに開放された状態になっている。具体的には、突出台１０に設けた上側の曲面部１６の上方および下側の曲面部１６の下方と差込体１の間隔部分５との間、脚部３基部（曲面部８を形成）の上方および下方における差込体１と受け体２との間、脚部３基部の外側に位置する差込体１と受け体２との間に、突出台１０の厚さ（高さ）に相当する隙間２０が作成されている。
【００４３】
これは（Ａ）では突出台１０の箇所で締め込まれた包装体の袋口部２１が、その突出台１０の上下では開いた状態であることと、（Ｂ）では差込体１と受け体２の隙間２０から上では（下でも同じ）包装体の袋口部２１は３６０度に亘って広がっていることからも理解できるものである。また結束時にはこの隙間２０があることにより、包装袋の袋口部２１が差込体１と受け体２との間に噛みこまれたり、折り込まれたりしてこの袋口部２１が破損することがない。
【００４４】
したがって、包装体の袋口部２１を結束する作業においては、突出台１０が受け体２の差込体１と面する側に設けられているため、挟みこまれたり噛みこまれたりすることを防止できるものである。
【００４５】
図７は本発明結束具の実施形態を使用して包装体の袋口部を結束するときの結束機械の基本構成を示す説明図である。
【００４６】
図７によれば、差込体１を受け体２に結束するときには、差込体１の平面部７の後方から押し出し兼保持用のピストン２２によって脚部３を受け穴４に挿入する。そのとき差込体１は案内溝６に係合しているガイド材２３によって差込体１は移動する。この押しだし兼保持用ピストン２２による圧力は受け体２の平面部１１後方に配した固定具２４が支える。
【００４７】
脚部３が所定位置（受け体２の突出台１０に設けた矩形平面状突出部分１５に差込体１の間隔部分５が当接したとき）まで挿入されると、受け穴４の大穴１４の開口から押圧用ピストン２５を挿入し脚部３の先端部分を押圧して、この脚部３先端部分を押し潰し、拡大部９を段差部１３上に作成する。この拡大部９が受け穴２内で段差部１３に係合し、差込体１と受け体２との結束を完成させ、包装体の袋口部２１の結束を確実なものにする。また押圧用ピストン２５の圧力に対しては、差込体１の平面部７に押し当てた前記押し出し兼保持用ピストン２２が対応する。
【００４８】
なお図７で示した結束機械の基本構成は、本発明結束具の実施形態を実施する上での参考として述べたものであり、これに限定されるものではない。
【００４９】
以上のように本発明は、一対の脚部３を有する差込体１とこの脚部３を挿入する受け穴４を設けた受け体２とから構成される結束具を基本とし、受け体２に差込体１の間隔部分５に圧接する突出台１０を設け、この突出台１０の左右側の曲面部１６とこれに対応する脚部３の基部に設けた曲面部８との間に包装袋の袋口部２１を巻き込む隙間１９を形成し、受け穴４には段差部１３を介して大小の穴１２，１４（小穴１２は脚部３と同径）を連接するとともに、段差部１３で脚部３を係合させて差込体１と受け体２とを結束させるものである。
【００５０】
この結束により、包装体の袋口部２１を受け体２の突出台１０と差込体１の脚部３の間で緊密に結束することができる。また差込体１と受け体２との間は突出台１０によって隙間２０が作成されるため、結束時に包装体の袋口部２１を噛み込むようなことは生じない。
【００５１】
また受け穴２は小穴１２が脚部３と同径であるため脚部３の挿入によっても受け体２に亀裂が生じるようなことはない。さらに脚部３の先端部分を押し潰した拡大部９は受け穴４の大穴１４内に位置していて外部に露出することはなく、結束具の結束を外力によって破損されることはなく、また外観を損なうこともない。
【００５２】
また本発明では、脚部３の先端部分を他の部分よりも小容積とすることにより、これを押し潰した際、下側に膨れて潰れて行き段差部１３との密着を良好に行うことが出来る。
また、本発明では段差部１３に傾斜面部１７を形成するものであるため、拡大部９形成の過程でその一部がこの傾斜面部１７に食い込むため、段差部１３との密着が確実に行われる利点がある。
【符号の説明】
【００５３】
１  差込体
２  受け体
３  脚部
４  受け穴
５  間隔部分（両脚部の間）
８  曲面部（脚部の基部）
９  拡大部（脚部先端部分の変形）
１０  突出台
１２  小穴（受け穴の）
１３  段差部（受け穴の）
１４  大穴（受け穴の）
１５  矩形平面状の突出部分（突出台の）
１６  曲面部（突出台の）
１７  傾斜面部（段差部の）
１８  平面部（段差部の）
１９  隙間（脚部基部の曲面部と突出台曲面部との）
２０  隙間（差込体と受け体との）
２１  包装体の袋口部
【図１】
2014213881.tif 000003
【図２】
2014213881.tif 000004
【図３】
2014213881.tif 000005
【図４】
2014213881.tif 000006
【図５】
2014213881.tif 000007
【図６】
2014213881.tif 000008
【図７】
2014213881.tif 000009
【手続補正書】
【提出日】平成26年7月9日(2014.7.9)
【手続補正１】
【補正対象書類名】明細書
【補正対象項目名】００１８
【補正方法】変更
【補正の内容】
【００１８】
【図１】本発明結束具の実施形態を示すもので、（Ａ）は差込体を受け体に結束した状態を示す平面図、（Ｂ）は右側面図、
【図２】本発明結束具の実施形態で使用する結束具の差込体を示すもので、（Ａ）は平面図、（Ｂ）は正面図、（Ｃ）は右側面図
【図３】本発明結束具の実施形態で使用する受け体を示すもので、（Ａ）は平面図、（Ｂ）は正面図、（Ｃ）は右側面図
【図４】本発明結束具の実施形態を使用して包装体の袋口部を結束するときの状態を示す断面図で、（Ａ）は差込体の脚部を受け体の受け穴に差し込んだときの状態を示し、（Ｂ）は脚部を押圧したときの初期状態を示し、（Ｃ）は脚部の押圧が終了し差込体と受け体の結束が終了したときの状態を示す。なお本図においては包装体の袋口部は、差込体の両脚部の間と、これに対応する突出台を主とした受け体との間に差し込まれた部分のみを示している
【図５】結束時における差込体と受け体との係合状態を示し、特に受け体の受け穴に設けた段差部の形状および差込体の脚部基部と受け体の突出台との関係を示す拡大断面図であり、本図においては包装体の袋口部は、差込体の両脚部の間と、これに対応する突出台を主とした受け体との間に差し込まれた部分のみを示している
【図６】本発明結束具の実施形態を使用して包装体の袋口部を結束した状態を示すもので、（Ａ）は正面図、（Ｂ）は平面図
【図７】本発明結束具の実施形態を使用して包装体の袋口部を結束するときの結束機械の基本構成を示す説明図
【手続補正２】
【補正対象書類名】明細書
【補正対象項目名】００２８
【補正方法】変更
【補正の内容】
【００２８】
段差部１３は、図５（段差部１３を理解しやすいように、厚さの中央部分で裁断して拡大した断面図で示す）で示したように、小穴１２の最奥部に形成した傾斜面部１７とこれに連続して大穴１４の最前部に連続する平面部１８とで形成する。なお前記大穴１４の両開口の間には平面状の平面部１１を設け、結束時に後方から固定具２４（図７で示す）により受け体２を保持する。
【手続補正３】
【補正対象書類名】明細書
【補正対象項目名】００２９
【補正方法】変更
【補正の内容】
【００２９】
図４は本発明結束具の実施形態を使用して包装体の袋口部２１を結束するときの状態を示す断面図で、（Ａ）は差込体１の脚部３を受け体２の受け穴４に差し込んだときの状態を示し、（Ｂ）は脚部３を押圧したときの初期状態を示し、（Ｃ）は脚部３の押圧が終了し差込体１と受け体２の結束が終了したときの状態を示すものである。また図５は結束時における差込体１と受け体２との係合状態を示し、特に受け体２の受け穴４に設けた段差部１３の形状および差込体１の脚部３基部と受け体２の突出台１０との関係を示す拡大断面図である。なお図４、図５においては包装体の袋口部２１は、差込体１の両脚部３の間と、これに対応する突出台１０を主とした受け体２との間に差し込まれた部分のみを示している。
【手続補正４】
【補正対象書類名】明細書
【補正対象項目名】００４５
【補正方法】変更
【補正の内容】
【００４５】
図７は本発明結束具の実施形態を使用して包装体の袋口部２１を結束するときの結束機械の基本構成を示す説明図である。
【手続補正５】
【補正対象書類名】図面
【補正対象項目名】図１
【補正方法】変更
【補正の内容】
【図１】
2014213881.tif 000010
【手続補正６】
【補正対象書類名】図面
【補正対象項目名】図２
【補正方法】変更
【補正の内容】
【図２】
2014213881.tif 000011
【手続補正７】
【補正対象書類名】図面
【補正対象項目名】図６
【補正方法】変更
【補正の内容】
【図６】
2014213881.tif 000012